(57)【要約】【課題】簡単且つ小型の設備構成でロールヘミング加工を施すことができるように考慮された簡易タイプの装置を提供する。【解決手段】ホイールアーチ部２の曲率形状に合致するヘミングダイ６に近接して、プリへミングローラ１８を有する加工ヘッド７を配置してある。加工ヘッド７はヘミングダイ６に倣って移動可能であり、且つアーム部材８の先端部に首振り旋回可能に支持され、アーム部材８はスライダ９にスライド可能に支持されている。スライダ９側のナット部材に螺合するスクリューシャフト１０にて直線的な送りを与え、加工ヘッド７を首振り旋回させながらヘミングダイ７に倣って移動させる。これにより、プリへミングローラ１８がヘミングダイ６と協働してロールヘミング加工を施す。【選択図】図３
2015167959.tif 000002
【特許請求の範囲】
【請求項１】
ダイに位置決めされたパネルのアーチ状の端部に縁曲げを施すロールヘミング加工装置であって、
上記パネルへの縁曲げ加工を司る縁曲げローラと、
上記縁曲げローラに対し所定距離隔てながら当該縁曲げローラと対をなすとともに、加工時にその縁曲げローラとの間にパネルをダイとともに挟み込むバックアップローラと、
上記ダイをバックアップローラの回転中心方向の両側から挟み込む少なくとも一対の案内部材と、
を有し、
上記縁曲げローラ、バックアップローラおよび案内部材のそれぞれが共通の支持体に回転可能に支持されて加工ヘッドを形成しているとともに、
この加工ヘッドを首振り旋回可能に支持しているアーム部材を備えていて、
上記アーム部材に対しアーチ状の縁曲げ部位の弦に平行な方向に直線的な送りを付与することにより、加工ヘッドが首振り旋回しながらダイの曲率に倣って移動して縁曲げを施すようになっていることを特徴とするロールヘミング加工装置。
【請求項２】
上記アーム部材を上記直線的な送り方向と直交方向にスライド可能に案内支持している移動体と、
この移動体に上記直線的な送りを付与する送り付与手段と、
を備えていて、
上記移動体に上記直線的な送りを付与することにより、アーム部材の進退移動と並行して加工ヘッドが首振り旋回するようになっていることを特徴とする請求項１に記載のロールヘミング加工装置。
【請求項３】
上記送り付与手段は、
移動体に設けられたナット部材と当該ナット部材に螺合するスクリューシャフトとからなるボールねじと、
上記スクリューシャフトを回転駆動する回転駆動手段と、
から構成されていることを特徴とする請求項２に記載のロールヘミング加工装置。
【請求項４】
上記縁曲げとして、自動車のサイドパネルのホイールアーチ部に伸びフランジ部となる縁曲げを施すものであることを特徴とする請求項１〜３のいずれか一つに記載のロールヘミング加工装置。
【請求項５】
加工対象となるパネルが位置決めされるダイと、
上記パネルへの縁曲げを司る縁曲げローラと、
上記縁曲げローラに対し所定距離隔てながら当該縁曲げローラと対をなすバックアップローラと、
を備え、
上記縁曲げローラとバックアップローラとの間にパネルをダイとともに挟み込んだ上で、双方のローラ同士のなす相対距離を一定に保ちながら当該双方のローラをダイに沿って移動させることにより、パネルの端部に縁曲げを施すようにしたロールヘミング加工装置において、
上記ダイは、縁曲げローラとバックアップローラとの間に挟み込まれる幅寸法が縁曲げ完了度合いに応じた一定幅寸法のものとして形成されているとともに、
上記ダイの一部には、上記一定幅寸法を最大幅寸法としてその幅寸法が徐変する徐変部を設けてあることを特徴とするロールヘミング加工装置。
【請求項６】
上記ダイの一般部では、縁曲げローラとバックアップローラとの間に挟み込まれる幅寸法が縁曲げ完了度合いに応じた一定幅寸法のものとして形成されているとともに、
上記ダイの一般部よりも縁曲げ始端部側には、幅寸法が一般部側に向かって漸次増大しつつ当該一般部の一定幅寸法をもって収束する徐変部を設けてあることを特徴とする請求項５に記載のロールヘミング加工装置。
【請求項７】
上記ダイの一般部よりも縁曲げ終端部側には、幅寸法が漸次減少する徐変部を設けてあることを特徴とする請求項６に記載のロールヘミング加工装置。
【請求項８】
上記ダイの一方の面にパネルが位置決めされるとともに、当該一方の面と反対側のバックアップローラ案内面をバックアップローラが転動するようになっていて、
上記徐変部では、バックアップローラ案内面が傾斜していることを特徴とする請求項５〜７のいずれか一つに記載のロールヘミング加工装置。
【請求項９】
上記ダイをバックアップローラの回転中心方向の両側から挟み込む少なくとも一対のガイドローラを備えているとともに、
上記縁曲げローラ、バックアップローラおよびガイドローラのそれぞれが共通の支持体に回転可能に支持されて加工ヘッドを形成していて、
この加工ヘッドが縁曲げ移動方向に移動可能に支持されていることを特徴とする請求項８に記載のロールヘミング加工装置。
【請求項１０】
上記パネルのアーチ状の端部に伸びフランジ部となる縁曲げを施すものであって、
上記アーチ状の縁曲げ部位の弦に直交する方向を指向するアーム部材と、
このアーム部材を長手方向でスライド可能に案内支持する移動体と、
この移動体に対し上記アーチ状の縁曲げ部位の弦と平行な方向に直線的ま送りを付与する送り付与手段と、
を備えていて、
上記アーム部材の先端部に加工ヘッドが首振り旋回可能に支持されているとともに、
上記移動体に上記直線的な送りを付与することにより加工ヘッドが首振り旋回しながらダイの曲率に倣って移動するようになっていることを特徴とする請求項９に記載のロールヘミング加工装置。
【請求項１１】
上記縁曲げとして、自動車のサイドパネルのホイールアーチ部に伸びフランジ部となる縁曲げを施すものであることを特徴とする請求項１０に記載のロールヘミング加工装置。
【発明の詳細な説明】
【技術分野】
【０００１】
本発明は、パネル端部の縁曲げ加工に多用されるロールヘミング加工装置に関し、特に自動車のホイールアーチ部のようなアーチ状の端部に縁曲げを施すロールヘミング加工装置に関するものである。
【背景技術】
【０００２】
従来、自動車のホイールアーチ部でのヘミング加工を目的としたロールヘミング加工装置として特許文献１に記載されたものが提案されている。この特許文献１に記載された従来のロールヘミング加工装置では、ヘミングローラを主要素とするヘミング加工ユニットをロボットに持たせるとともに移動金型を併用して、ロボットの自律動作に基づきヘミング加工ユニットを移動させることで、ホイールアーチ部にヘミング加工を施すようになっている。
【先行技術文献】
【特許文献】
【０００３】
【特許文献１】特開２００８−１８８６６２号公報
【発明の概要】
【発明が解決しようとする課題】
【０００４】
しかしながら、特許文献１に代表されるような従来のロールヘミング加工装置では、ティーチング・プレイバック型のロボットを母機としつつ移動金型を併用するかたちで装置を構築していることから、生産性に優れる反面、装置全体が複雑且つ大型化し、設備費の高騰を招くとともに、大きな占有スペースを必要とすることとなって好ましくない。
【０００５】
本発明はこのような課題に着目してなされたものであり、例えば他品種少量生産に対応するべく、簡単且つ小型の設備構成でロールヘミング加工を施すことができるように考慮された簡易タイプの装置を提供するものである。
【課題を解決するための手段】
【０００６】
本発明は、ダイに位置決めされたパネルのアーチ状の端部に縁曲げを施すロールヘミング加工装置であって、上記パネルへの縁曲げ加工を司る縁曲げローラと、上記縁曲げローラに対し所定距離隔てながら当該縁曲げローラと対をなすとともに、加工時にその縁曲げローラとの間にパネルをダイとともに挟み込むバックアップローラと、上記ダイをバックアップローラの回転中心方向の両側から挟み込む少なくとも一対の案内部材と、を有し、上記縁曲げローラ、バックアップローラおよび案内部材のそれぞれが共通の支持体に回転可能に支持されて加工ヘッドを形成しているとともに、この加工ヘッドを首振り旋回可能に支持しているアーム部材を備えているものとする。そして、上記アーム部材に対しアーチ状の縁曲げ部位の弦に平行な方向に直線的な送りを付与することにより、加工ヘッドが首振り旋回しながらダイの曲率に倣って移動して縁曲げを施すようになっていることを特徴とする。
【０００７】
したがって、本発明では、加工ヘッドに直線的な送りを付与するだけで、加工ヘッドが首振り旋回しながらダイの曲率に倣って自律的に移動して縁曲げを施すことになる。
【発明の効果】
【０００８】
本発明によれば、ティーチング・プレイバック型のロボットに代表されるような高価で且つ多機能な母機を必要とすることなく、きわめて簡単且つ小型の設備構成でロールヘミング加工を施すことができ、設備コストを抑制しつつ設備占有スペースを縮小化できる。
【図面の簡単な説明】
【０００９】
【図１】自動車の車体の骨格構造を示す斜視図。
【図２】本発明に係るロールヘミング加工装置による加工部位の一例を示す図で、図１のａ−ａ線に沿った拡大断面図。
【図３】本発明に係るロールヘミング加工装置の概略構造を示す平面説明図。
【図４】図３のｂ−ｂ線に沿った拡大断面説明図。
【図５】図３に示したヘミングダイの展開説明図。
【図６】図５に対応した従来の加工形態を示す説明図。
【図７】図４の加工ヘッドの変形例を示す断面説明図。
【発明を実施するための形態】
【００１０】
図１〜４は本発明に係るロールヘミング加工装置を実施するためのより具体的な第１の形態を示す図で、特に図１は自動車車体の骨格構造を示し、図２は図１のホイールアーチ部２のａ−ａ線に沿った拡大断面図を示している。また、図３は上記ホイールアーチ部２でのロールヘミング加工を司る装置の概略平面説明図を、図４は図３のｂ−ｂ線に沿った拡大断面図をそれぞれ示している。
【００１１】
図１に示すように、自動車の車体を形成しているボディサイドパネル１のリアフェンダー部では、車輪（タイヤ）を受容するホイールハウス部の外側にホイールアーチ部２が形成される。そして、このホイールアーチ部２は、図２に示すように、ボディサイドアウタパネル１ａとホイールハウスアウタパネル３のそれぞれのアーチ部を重合させた上で、ボディサイドアウタパネル１ａ側のアーチ部の端末のヘミングフランジ部４をホイールハウスアウタパネル３側に折り返してヘミング結合し、実質的に両者をクリンチ状態とすることで構成される。
【００１２】
この場合において、ボディサイドアウタパネル１ａ側のアーチ部の端末に予め直立形成されたヘミングフランジ部４を折り返すことになるので、ヘミングフランジ部４は長手方向で引張力を受ける伸びフランジ部のかたちとなる。
【００１３】
なお、車体の仕様によっては、ボディサイドアウタパネル１ａとホイールハウスアウタパネル３の双方のアーチ部の端末に互いに重合するヘミングフランジ部を形成しておき、これらの双方のヘミングフランジ部を共に折り返す形態とすることもある。
【００１４】
ロールヘミング加工装置は、図３に示すように、水平な台座５の上に下型に相当するヘミングダイ６が固定配置されていて、このヘミングダイ６は図１に示すホイールアーチ部２の曲率に合致する形状のものとして形成されている。ヘミングダイ６は、図４に示すように、上壁部６ａと縦壁部６ｂとからなる断面略アングル状のものであり、その上壁部６ａの上に、図２に示したボディサイドアウタパネル１ａとホイールハウスアウタパネル３のホイールアーチ部相当部が、ボディサイドアウタパネル１ａを下側にして位置決め載置されることになる。その上で、それらの双方のパネル１ａ，３は図示しない上型に相当するパッドあるいはクランパーによりヘミングダイ６に押し付けられて加圧拘束されることになる。
【００１５】
図３に示すように、ヘミングダイ６に近接してヘミング加工ヘッド７を設けてある。このヘミング加工ヘッド７は、後述するように、ヘミングダイ６と協働して直接ロールヘミング加工を司るものであり、長尺なアーム部材８の先端に首振り旋回可能に装着してあるとともに、アーム部材８は移動体としてのスライダ９に図示外のリニアガイドを介してスライド可能支持されている。また、スライダ９に設けられた図示しないナット部材とそれに螺合するスクリューシャフト１０とでボールねじ１１が構成されていて、スクリューシャフト１０は台座５から立設された支持ブラケット１２に回転可能に両持ち支持されている。
【００１６】
さらに、スクリューシャフト１０の一端には回転駆動源として例えばモータ１３の回転軸が連結される。これにより、スクリューシャフト１０を正転または逆転駆動させれば、それに応じてスライダ９がスクリューシャフト１０の軸心方向にスライド移動するようになっている。したがって、スクリューシャフト１０とそれに螺合する図示外のナット部材とからなるボールねじ１１は、モータ１３を回転駆動源とする送り付与手段を形成していることになる。
【００１７】
ここで、モータ１３としては、電動モータのほか油圧モータや空圧モータを用いることができるほか、モータ１３に代えてインパクトレンチやナットランナーを用いることもできる。さらに、作業者による手動操作にてロールヘミング加工を施す場合には、スクリューシャフト１０の端部に手動操作のためのハンドルを嵌合させて、このハンドルによる回転操作にてスクリューシャフト１０を回転させることも可能である。
【００１８】
ボールねじ１１を主要素とする送り駆動系をもう少し詳しく説明するに、ヘミングダイ６が加工対象となるホイールアーチ部２（図１参照）の曲率と同じ曲率を有しているものとすれば、ヘミングダイ６が描く所定曲率の円弧の弦とほぼ並行にスクリューシャフト１０が配置されている。そして、そのスクリューシャフト１０に螺合するナット部材がスライダ９に設けられているとともに、平面視にてスクリューシャフト１０と直交する長尺なアーム部材８がスライダ９にスライド可能に、すなわちヘミングダイ６に対して進退移動可能に軸受支持されている。なお、図３の例では、アーム部材８はヘミングダイ６の長手方向中央部においてはその法線方向を指向していることになる。
【００１９】
アーム部材８の先端部には、図４に示すように、ボールジョイント１４を介してヘミング加工ヘッド７を首振り旋回可能に支持させてある。ヘミング加工ヘッド７は、後述するプリへミングローラ１８を回転可能に軸受支持している支持体としての軸受ブロック１５の下側に、エクステンションブロック１６と変形チャンネル状のガイドヨーク部１７を延長形成したものである。エクステンションブロック１６は先に説明したボールジョイント１４との結合部となっているとともに、ガイドヨーク部１７はヘミングダイ６の縦壁部６ｂを跨ぐかたちでこれを受容して、三方向からヘミングダイ６の縦壁部６ｂを抱持している。
【００２０】
軸受ブロック１５には縁曲げローラとしてプリへミング加工のための円錐台状のプリへミングローラ１８が軸１９を介して回転可能に軸受支持されているとともに、ガイドヨーク部１７のうちヘミングダイ６の縦壁部６ｂを挟んで上下方向でプリへミングローラ１８と対向する位置にはバックアップローラ２０が回転可能に支持されている。なお、図５に示すように、バックアップローラ２０はヘミングダイ６の長手方向に前後一対のものとして配置されていて、ヘミングダイ６における縦壁部６ｂの下端面を案内面として転動することになる。また、プリへミングローラ１８とバックアップローラ２０はその回転中心が互いに平行となるように設定されている。
【００２１】
そして、プリへミングローラ１８とバックアップローラ２０との間に、予めヘミングフランジ部４（図２参照）が直立形成されているパネル１ａをヘミングダイ６とともに挟み込むことで、プリへミングローラ１８によるプリへミング加工（ロールヘミング加工）が施されることになるので、プリへミングローラ１８とバックアップローラ２０との相対距離、すなわちプリへミングローラ１８とバックアップローラ２０との回転中心間距離は、加工完了時のプリヘミングフランジ部４の曲げ度合いに応じて予め設定されている。なお、図４では図２のパネル３は図示省略している。
【００２２】
また、ガイドヨーク部１７には、ヘミングダイ６の縦壁部６ｂを厚み方向の両側（バックアップローラ２０の回転中心方向の両側）から挟み込む案内部材としての複数のガイドローラ２１，２２が回転可能に設けられている。ここでは、縦壁部６ｂの背面側に単一のガイドローラ２１を配置するとともに、縦壁部６ｂの前面側に上下一対のガイドローラ２２を配置してある。これにより、プリへミングローラ１８を支持しているヘミング加工ヘッド７は、ヘミングダイ６に対しバックアップローラ２０によって上下方向位置が拘束されているとともに、複数のガイドローラ２１，２２によって図４の左右方向での位置が拘束されている。なお、案内部材としてのガイドローラ２１，２２に代えて、ニードル、ボール等の他の転動体のほか、摩擦係数の小さな摺動部材を用いても良い。
【００２３】
このように、ヘミング加工ヘッド７側のバックアップローラ２０および複数のガイドローラ２１，２２が実質的にヘミングダイ６の縦壁部６ｂを抱持しているので、図３のボールねじ１１のスクリューシャフト１０の軸心方向に沿って直線的な送り、例えば図３のスクリューシャフト１０の左端部から右端部側に向かって直線的な送りを付与すれば、ヘミング加工ヘッド７は自律的に首振り旋回しながらヘミングダイ６の曲率に倣ってそのヘミングダイ６の長手方向に移動することになる。そして、ヘミング加工ヘッド７の移動に伴って、プリへミングローラ１８がパネル１ａ側のヘミングフランジ部４に沿って転動するとともに、ヘミングダイ６と協働して、パネル１ａ側のヘミングフランジ部４に縁曲げとしてプリへミング加工を施すことになる。
【００２４】
ここで、図５はヘミングダイ６の一端部付近の展開図を示している。ヘミングダイ６はその長手方向の大部分を縦壁部６ｂの幅寸法が一定した一般部Ｌ１が占めているものの、一般部Ｌ１の端末側には縦壁部６ｂの幅寸法が一般部Ｌ１の幅寸法よりも小さい幅狭部Ｌ３と、一般部Ｌ１と幅狭部Ｌ３との間にあって且つ縦壁部６ｂの幅寸法が幅狭部Ｌ３側から一般部Ｌ１側に向かって漸次増加しつつ一般部Ｌ１側の幅寸法をもって収束している徐変部Ｌ２とが設けられている。すなわち、徐変部Ｌ２では、バックアップローラ２０のための案内面となる縦壁部６ｂの下端面が、幅狭部Ｌ３側から一般部Ｌ１側に向かって下り勾配となる傾斜面６ｃとして形成されている。なお、符号Ｑはプリへミングローラ１８の中心位置の軌跡を示している。
【００２５】
このような構造は、ヘミングダイ６の一端部とは反対側の他端部側についても同様であり、当該構造は、後述するように、ヘミング加工部位が車体のいゆる外板面を含むものであるために、ヘミング加工に伴うパネル外表面での歪みや凹凸等の二次的不具合の発生を防止するために採用されているものである。
【００２６】
したがって、本実施の形態によれば、先に説明したように、例えば図３のスクリューシャフト１０の左端部から右端部側に向かって直線的な送りを付与すれば、ヘミング加工ヘッド７は自律的に首振り旋回しながらヘミングダイ６の曲率に倣ってヘミングダイ６の長手方向に移動し、それに伴いプリへミングローラ１８がパネル１ａ側のヘミングフランジ部４に沿って転動し、ヘミングダイ６と協働してパネル１ａ側のヘミングフランジ部４にプリへミング加工を施すことになる。なお、ヘミング加工ヘッド７はヘミングダイ６の曲率に倣って移動するために、ボールねじ１１による直線的な送りとしては、ヘミング加工ヘッド７が移動することができるだけの推力を与えるだけで足り、よってボールねじ１１による直線的な送りとしてはきわめて小さな送り力で済むことになる。
【００２７】
この場合において、図５に示すように、プリへミングローラ１８とバックアップローラ２０とのなす相対距離が一定であるのに対して、ヘミングダイ６の一端部側では、一般部Ｌ１の前段側に、縦壁部６ｂの幅寸法が小さい幅狭部Ｌ３と、縦壁部６ｂの幅寸法が幅狭部Ｌ３側から一般部Ｌ１側に向かって徐変する徐変部Ｌ２と、を設けてある。
【００２８】
そのため、プリへミングローラ１８とバックアップローラ２０との間にヘミングダイ６とともにパネル１ａを挟み込んだ上で、ヘミング加工ヘッド７がヘミングダイ６の長手方向に移動したとしても、プリへミングローラ１８が幅狭部Ｌ３を通過し終わるまでは、プリへミングローラ１８はパネル１ａ側のヘミングフランジ部４の端縁にわずかに接触するだけとなる。これは、プリへミングローラ１８が幅狭部Ｌ３を通過し終わるまでは、プリへミングローラ１８がヘミングフランジ部４に対して十分な加圧力を及ぼさず、プリへミング加工が施されないことを意味している。
【００２９】
この後、ヘミング加工ヘッド７のさらなる移動に伴いプリへミングローラ１８が徐変部Ｌ２に至ると、徐変部Ｌ２の下端面が傾斜面６ｃとなっているために相対的にヘミング加工ヘッド７がへミグダイ６に対し徐々に引き下げられるようになる。そのため、プリへミングローラ１８がパネル１ａ側のヘミングフランジ部４に及ぼす加圧力が徐々に大きくなり、ヘミングフランジ部４では不完全ながら曲げ度合いが徐変するかたちでプリへミング加工が施される。つまり、ヘミングフランジ部４にも徐変部４ａが形成される。
【００３０】
さらに、ヘミング加工ヘッド７がヘミングダイ６の一般部Ｌ１に至ると、一般部Ｌ１では縦壁部６ｂの幅寸法が一定したものとなるので、パネル１ａ側のヘミングフランジ部４が予め設定してある曲げ度合いのもとで長手方向で均等にプリへミング加工が施されることになる。このような状態は、ヘミングダイ６の他端部側においても同様であり、プリへミング加工が施されたパネル１ａのホイールアーチ部２では、その長手方向両端部に、幅狭部Ｌ３に相当するプリヘミング未加工部位と、徐変部Ｌ２に相当する不完全プリへミング加工部位である徐変部４ａとがそれぞれ付帯したままとなる。
【００３１】
このように本実施の形態によれば、きわめて簡単且つ小型の設備構成でロールヘミング加工を施すことができ、設備コストを抑制しつつ設備占有スペースを縮小化でき、例えば他品種少量生産にとってはきわめて好適なものとなる。
【００３２】
そして、プリヘミング加工が施されたホイールアーチ部２全体についてみた場合、加工始終端と一般部Ｌ１との間に、上記のような幅狭部Ｌ３に相当するプリヘミング未加工部位と不完全プリへミング加工部位である徐変部４ａとが介在しているために、加工始終端と一般部Ｌ１１との間でのプリへミング加工のための急激な加圧力の変化が緩和もしくは回避され、パネル１ａの外表面での歪みや凹凸等の二次的不具合の発生を未然に防止することができるようになる。
【００３３】
なお、ホイールアーチ部２では、上記のようなプリヘミング未加工部位と徐変部４ａの存在は機能上許容され、それによってもたらされるパネル１ａ，３間の隙間は、車体が塗装工程に投入されるまでのシーリング工程において例えばシーラント等で埋められることになる。
【００３４】
ここで、従来の一般的なロールヘミング工法では、例えば特開平６−３４４０３７号公報および特開２０００−２４６３５１号公報のように、へミング加工に必要な加圧力、すなわちヘミングローラとバックアップローラとが互いに接近する方向での一定の加圧力を空圧シリンダあるいは油圧シリンダ等のアクチュエータによって得るようにしていることから、ヘミング加工に必要な加圧力を積極的には可変制御することはできない。
【００３５】
そのため、例えば図６に示すように、特にヘミング加工の始端部では、上記のような徐変区間を経ることなく、部位Ｒにおいていきなりアクチュエータを加圧源とするヘミングローラ２８による大きな加圧力が加わることになるので、母材であるパネル外表面に凹凸や歪み等の品質不具合が発生することがある。この傾向は、パネル自体が所定の三次元形状に予め成形されていて、しかもヘミングフランジ部が伸びフランジ部となるホイールアーチ部では特に顕著となる。これに対して、本実施の形態では、先にも説明したように、かかる二次的不具合を確実に防止することができるほか、空圧シリンダあるいは油圧シリンダ等のアクチュエータを用いることなく所期の目的を達成することができる。
【００３６】
ここで、図５に示した傾斜方向の異なる徐変部Ｌ２と幅狭部Ｌ３とを併用することを前提とするならば、加工対象となるパネルの造形等によっては、これらの徐変部Ｌ２と幅狭部Ｌ３とを必要に応じてヘミングダイ６の端部ではなく長手方向中央部に設定するも可能である。
【００３７】
また、図７に示すように、ヘミング加工ヘッド７におけるローラを、図４のプリへミングローラ１８からヘミング（本ヘミング）加工のためのヘミングローラ１８ａに交換するだけで、先のプリへミング加工に続くヘミング加工にもきわめて容易に対応することができる。
【００３８】
さらに、上記実施の形態のロールヘミング加工装置は、ホイールアーチ部２以外の縁曲げにも対応できることはもちろんのこと、曲率を有する部位だけでなく、必要に応じて直線部の縁曲げにも対応することが可能である。
【符号の説明】
【００３９】
１…ボディサイドパネル
１ａ…ボディサイドアウタパネル
２…ホイールアーチ部
６…ヘミングダイ
６ａ…傾斜面
７…ヘミング加工ヘッド
８…アーム部材
９…スライダ（移動体）
１０…スクリューシャフト
１１…ボールねじ（送り付与手段）
１３…モータ（回転駆動手段）
１５…軸受ブロック（支持体）
１８…プリへミングローラ（縁曲げローラ）
２０…バックアップローラ
２１…ガイドローラ（案内部材）
２２…ガイドローラ（案内部材）
Ｌ１…一般部
Ｌ２…徐変部
【図１】
2015167959.tif 000003
【図２】
2015167959.tif 000004
【図３】
2015167959.tif 000005
【図４】
2015167959.tif 000006
【図５】
2015167959.tif 000007
【図６】
2015167959.tif 000008
【図７】
2015167959.tif 000009